(57)【要約】【課題】アクセス中に記録媒体が媒体収納室から取出されても記録媒体の画像データが破損しない等の利点を有する記録媒体収納装置及びカメラを提供。【解決手段】記録媒体収納装置ＭＳは、記録媒体（メモリーカード）１５を開口部１１から挿脱自在に収納可能な媒体収納室１０と、この媒体収納室１０の内部に設けられ、前記開口部１１から挿入された前記記録媒体１５の挿入先端部位１５ｃと接続されるコネクタ１２と、このコネクタ１２に対する前記記録媒体１５の相対位置情報から、前記記録媒体１５が前記媒体収納室１０から取出される速度を検出する取出し速度検出手段（センサ２０、ＣＰＵ１３０）と、この取出し速度検出手段（センサ２０、ＣＰＵ１３０）にて検出された前記記録媒体１５の取り出し速度情報に基づいて、前記記録媒体１５に対する処理動作を制御する制御手段１３２と、を備えたことを主たる特徴としている。【選択図】    図３
2005005784.tif 000002
【特許請求の範囲】
【請求項１】
記録媒体を開口部から挿脱自在に収納可能な媒体収納室と、
この媒体収納室の内部に設けられ、前記開口部から挿入された前記記録媒体の挿入先端部位と接続されるコネクタと、
このコネクタに対する前記記録媒体の相対位置情報から、前記記録媒体が前記媒体収納室から取出される速度を検出する取出し速度検出手段と、
この取出し速度検出手段にて検出された前記記録媒体の取り出し速度情報に基づいて、前記記録媒体に対する処理動作を制御する制御手段と、
を備えたことを特徴とする記録媒体収納装置。
【請求項２】
前記取出し速度検出手段は、前記記録媒体が取出されるとき、前記媒体収納室内の複数の通過ポイントにおいて、前記記録媒体の通過をそれぞれ検出する複数のセンサと、
これら複数のセンサにより検出された記録媒体の通過情報の検出時間差に基づいて、前記記録媒体が取出される速度を算出する速度算出手段と、
を有することを特徴とする請求項１に記載の記録媒体収納装置。
【請求項３】
前記センサは、前記コネクタにおける長さの異なる複数の接点部を利用したものであることを特徴とする請求項２に記載の記録媒体収納装置。
【請求項４】
前記制御手段は、前記記録媒体の取り出し速度情報から予測される当該記録媒体のアクセス動作限界時刻が、前記記録媒体に対する処理動作の終了時刻より遅いとき、当該記録媒体に対する処理動作を継続するように制御することを特徴とする特徴とする請求項１又は２又は３に記載の記録媒体収納装置。
【請求項５】
前記制御手段は、前記記録媒体の取り出し速度情報から予測される当該記録媒体のアクセス動作限界時刻が、前記記録媒体に対する処理動作の終了時刻より早いとき、前記記録媒体の内容を前記取出しがなされる以前の状態に戻した後に、当該記録媒体に対する処理動作を中断するように制御することを特徴とする請求項１又は２又は３に記載の記録媒体収納装置。
【請求項６】
前記制御手段は、前記記録媒体の管理情報を書き直して当該記録媒体の内容を前記取出しがなされる以前の状態に戻すことを特徴とする請求項５に記載の記録媒体収納装置。
【請求項７】
前記記録媒体を開口部から挿脱自在に収納可能な媒体収納室と、
この媒体収納室の内部に設けられ、前記開口部から挿入された記録媒体の挿入先端部位と接続されるコネクタと、
前記コネクタに接続された前記記録媒体が、前記コネクタに対する正規の装着位置よりも取出し方向にずれた位置であって、前記コネクタとの導通が保証される特定の位置に移動したことを検出する媒体検出手段と、
前記媒体検出手段によって、前記記録媒体が特定位置に移動したことが検出されたとき、前記記録媒体に対する処理動作を一つ前の処理動作に戻すべく管理情報を書き直すと共に、当該記録媒体に対する処理動作を中断するように制御する制御手段と、を備えたことを特徴とする記録媒体収納装置。
【請求項８】
前記媒体検出手段は、前記コネクタにおける接点部を利用したものであることを特徴とする請求項７に記載の記録媒体収納装置。
【請求項９】
記録媒体を開口部から挿脱自在に収納可能な媒体収納室と、
この媒体収納室の内部に設けられ、前記開口部から挿入された記録媒体の挿入先端部位と接続されるコネクタと、
操作用物体が特定領域へ侵入したことを検出することにより、前記記録媒体が前記媒体収納室から取出し操作されることを予測する予測手段と、
前記予測手段により前記記録媒体の取出し操作が予測されたとき、前記記録媒体に対する処理動作を中断する制御手段を備えたことを特徴とする記録媒体収納装置。
【請求項１０】
請求項１ないし７のいずれか一つに記載の記録媒体収納装置を備え、前記媒体収納室に収納された記録媒体に対し撮影画像データの記録・再生が可能で、かつ上記撮影画像データを入出力可能な如く設けられたことを特徴とするデジタルカメラ。
【発明の詳細な説明】
【０００１】
【発明の属する技術分野】
本発明は、記録媒体収納装置及びこの記録媒体収納装置を備えたカメラに関する。
【０００２】
【従来の技術】
一般に、デジタルカメラ等の記録手段を備えた携帯用機器では、機器の小型化を図るために、媒体収納室に対する記録媒体の挿脱は手動で行なうように構成されている。この種のタイプの携帯用機器では、画像データの記録または再生中に、ユーザーが記録媒体を誤って媒体収納室から外へ取り出してしまうおそれがある。記録媒体へ画像データの記録を行なっているとき、あるいは記録媒体から画像データを読み出しているときに、上述のように記録媒体が媒体収納室から取出されると、記録中の画像データが破壊されるばかりでなく、既に記録されている画像データも破壊されるおそれがある。
【０００３】
このような不具合を解消したものとして、媒体収納室の開口部に保護蓋を設け、この保護蓋が開放された場合には、蓋検出スイッチが作動して記録媒体に対する画像データの記録を中断し、また上記保護蓋が再度閉じられると、蓋検出スイッチが作動して記録媒体に対する画像データの記録を再開するように構成された電子的撮像装置がある（特許文献１参照）。
【０００４】
【特許文献１】
特開平１１−８８８１８号公報（段落［００３０］〜［００３２］、図５）
【０００５】
【発明が解決しようとする課題】
特許文献１に示されている電子的撮像装置においては、保護蓋が閉じた状態でのみアクセスされ、保護蓋が開いたときは即座にアクセスを中止するようになっている。従って、アクセス中に記録媒体が引き抜かれる虞がない。しかし特殊な携帯機器においては、筐体の構造上、媒体収納室の開口部に保護蓋を設けることが困難な場合がある。また、例えばＩＯカードのようなケーブルつき記録媒体を使用する場合においては、保護蓋を開けた状態のまま使用することを前提としている。これらのケースでは、保護蓋の開閉情報に応じてアクセスを制御する方式が使えない。
【０００６】
本発明は、このような事情に基づいてなされたものであり、その目的は、下記のような利点を有する記録媒体収納装置およびこの装置を備えたカメラを提供することにある。
【０００７】
（ａ）  記録媒体が、たとえアクセス中に媒体収納室から誤って取出し操作されても、記録媒体の画像データが破損しない。
【０００８】
（ｂ）構成は簡単で容易に製作可能である。
【０００９】
【課題を解決するための手段】
前記課題を解決し目的を達成するために、本発明の記録媒体収納装置及びカメラは下記のような特徴ある構成を有している。なお下記以外の特徴ある構成については実施形態の中で明らかにする。
【００１０】
（１）本発明の記録媒体収納装置は、記録媒体を開口部から挿脱自在に収納可能な媒体収納室と、この媒体収納室の内部に設けられ、前記開口部から挿入された前記記録媒体の挿入先端部位と接続されるコネクタと、このコネクタに対する前記記録媒体の相対位置情報から、前記記録媒体が前記媒体収納室から取出される速度を検出する取出し速度検出手段と、この取出し速度検出手段にて検出された前記記録媒体の取り出し速度情報に基づいて、前記記録媒体に対する処理動作を制御する制御手段と、を備えたことを特徴とする。
【００１１】
（２）本発明のデジタルカメラは、前記（１）等に記載の記録媒体収納装置を備え、前記媒体収納室に収納された記録媒体に対し撮影画像データの記録・再生が可能で、かつ上記撮影画像データを入出力可能な如く設けられたことを特徴とする。
【００１２】
【発明の実施の形態】
（第一実施形態）
図１は本発明の第一実施形態に係るデジタルカメラＤＣの外観を示す斜視図である。
【００１３】
図１に示すように、このデジタルカメラＤＣは、前カバー１ａと中カバー１ｂと後カバー１ｃとが一体的に結合された筺体１を有している。
【００１４】
前カバー１ａの前面部には、レンズバリア２がガイド溝３に案内されて図中左右方向へスライド可能な如く装着されている。このレンズバリア２は、カメラ非使用時には、前カバー１ａの内側に引き込まれた撮影レンズ４の前面を覆うことにより、同撮影レンズ４の保護を行なう。またカメラ使用時には、撮影レンズ４の前面を開放して、同撮影レンズ４の繰り出しを許容し、撮影動作を可能ならしめる。
【００１５】
前記中カバー１ｂの上面部には、撮影開始を指示するレリーズボタン５が設けられている。また前記後カバー１ｃの背面上部にはファインダ接眼部６が設けられている。筺体１のグリップ部側面、すなわち図中左側面のカバー部内には、記録媒体等を収納するための媒体収納室１０が設けられている。
【００１６】
図２は上記デジタルカメラＤＣの内部構成を示すブロック図である。図２に示すように、デジタルカメラＤＣの内部には撮像系１１０が配置されている。この撮像系１１０は、被写体像を結像させる光学系１１１、この光学系１１１により結像される被写体像を電気信号に変換する例えばＣＣＤからなる撮像素子１１２等を含んでいる。
【００１７】
撮影系１１０で捉えられた被写体像に対応する電気信号は、電子回路系１２０における撮像回路１２１で画像データに変換される。この画像データはデータバス１２２を介して一時記憶メモリー（ＤＲＡＭ）１２３へ一時的に記憶される。この一時記憶された画像データは、圧縮・伸張機能を有する画像処理装置１２４で圧縮処理された後、記録媒体（本実施形態ではメモリーカード）１５に格納される。この記録媒体１５は、インターフェース１２５を介してデータバス１２２に接続されているコネクタ１２に対し、着脱可能に装着される。
【００１８】
上記記録媒体１５に格納された画像データは、再生時において上記記録媒体１５から読み出され、前記画像処理装置１２４により伸張処理された後、前記一時記憶メモリー１２３に一時的に記憶される。そして、上記一時記憶された再生画像データは、画像表示装置（ＬＣＤ）１２６へ供給され、画像表示され得るものとなっている。
【００１９】
図２において、符号１３０はＣＰＵ（中央処理装置）であり、前記データバス１２２に接続されている。このＣＰＵ１３０は、後述するセンサ２０から入力する媒体の相対位置情報に基づいて、記録媒体１５が取出される速度を算出する速度算出手段１３１を備えている。またＣＰＵ１３０は前記速度算出手段１３１で算出された取出し速度情報に基づいて、記録媒体１５に対する処理動作を制御する制御手段１３２を備えている。これらについては後で詳しく述べる。
【００２０】
また、符号１４１は外部機器（ＰＣ等）と接続するためのインターフェース、符号１４２は当該機器との接続用コネクタである。本デジタルカメラＤＣは、上記コネクタ１４２を介して外部機器（ＰＣ等）と画像データを入出力可能な如く設けられている。
【００２１】
図３の（ａ）（ｂ）は、本発明の第一実施形態に係る記録媒体収納装置ＭＳの構成を示す斜視図である。図４は同実施形態に係る記録媒体収納装置ＭＳの動作説明用のタイミング図である。図３，図４に示すように、第一実施形態における記録媒体収納装置ＭＳは、記録媒体１５を開口部１１から挿脱自在に収納可能な媒体収納室１０を備えている。
【００２２】
この媒体収納室１０の奥部にはコネクタ１２が設けられている。このコネクタ１２は、前記開口部１１から挿入される記録媒体１５の裏面側（図３の（ａ）において下面側）に設けられている接続用パターンと電気的に接続される。また媒体収納室１０の両側壁内面には、一対のガイド部（溝）１３ａ，１３ｂが平行に対向して配設されている。この一対のガイド部（溝）１３ａ，１３ｂは、記録媒体１５の左右両側に形成されている突条１５ａ，１５ｂとそれぞれ係合し、記録媒体１５がスムーズに挿脱操作され得るように当該記録媒体１５を案内する。ところで上記媒体収納室１０は、記録媒体１５の取出し速度を検出する取出し速度検出手段を備えている。
【００２３】
この取出し速度検出手段は、媒体収納室１０の中に収納された前記記録媒体１５が、アクセス中に取出されることによるトラブルを解消するために、当該記録媒体１５が外部に取り出されるとき、コネクタ１２に対する記録媒体１５の相対位置情報から、その取り出し速度を検出する為の手段である。
【００２４】
この取出し速度検出手段の一つの構成要素として、媒体収納室１０の側壁にはセンサ２０が配設されている。このセンサ２０は、複数対の光センサ群２１，２１′及び２２，２２′及び２３，２３′…からなる。これらの光センサ群は媒体収納室１０の側壁に、媒体挿脱方向に沿って所定間隔で配設されている。すなわち光センサ群２１，２１′及び２２，２２′及び２３，２３′…は、記録媒体１５が取出されるときに通過する媒体収納室１０内の複数の通過ポイントＰ１，Ｐ２，Ｐ３…に対応して配設されている。
【００２５】
かくして記録媒体１５が媒体収納室１０の内部に十分に収納されている状態では、全センサの光路が記録媒体１５によって遮られる。このため、すべての光センサがオフとなっている。記録媒体１５が媒体収納室１０から引き出されていくと、記録媒体１５の挿入先端部位１５ｃが通過ポイントＰ１，Ｐ２，Ｐ３…を順次通過する毎に、光センサ２１，２１′及び２２，２２′及び２３，２３′…は、図４に示す如く次々とオンとなる。これらのオン信号は、媒体通過情報Ｓ１，Ｓ２，Ｓ３としてＣＰＵ１３０へ送られる。
【００２６】
ＣＰＵ１３０は、複数対の光センサ群２１，２１′及び２２，２２′及び２３，２３′…から入力する媒体通過情報Ｓ１，Ｓ２，Ｓ３…に基づいて、その検出時間差Ｔ１，Ｔ２…から記録媒体１５の取り出し速度を算出する速度算出手段１３１を備えている。またＣＰＵ１３０は上記速度算出手段１３１で算出された取出し速度情報に基づいて、記録媒体１５に対する処理動作を制御する制御手段１３２を備えている。
【００２７】
記録媒体１５の取出し操作が開始されても、記録媒体１５とコネクタ１２との電気的接続は直ちには断たれず、しばらくの間はアクセス可能である。すなわち記録媒体１５が取出し操作開始されて記録媒体１５の先端部位が光センサ２３−２３′が配置されている通過ポイントＰ３を通過するまでの間は、記録媒体１５とコネクタ１２とはアクセス可能な状態に接続されている。そこで本実施形態における制御手段１３２は次のような制御動作を行なうように構成されている。
【００２８】
前記制御手段１３２は、記録媒体１５の取り出し速度情報から予測される当該記録媒体１５のアクセス動作限界時刻（通過ポイントＰ３の通過時刻）ｔｘが、記録媒体１５に対する処理動作の終了時刻ｔｙより遅いとき、当該記録媒体１５に対する処理動作を継続するように制御する。
【００２９】
また制御手段１３２は、記録媒体１５の取り出し速度情報から予測される当該記録媒体１５のアクセス動作限界時刻ｔｘが、記録媒体１５に対する処理動作の終了時刻ｔｙより早いとき、記録媒体１５に対する処理内容を当該記録媒体１５の取出しがなされる前の状態に戻すべく管理情報を書した後に、当該記録媒体１５に対する処理動作を中断するように制御する。
【００３０】
次に上記の如く構成された第一実施形態に係るデジタルカメラＤＣにおける監視制御システムの動作について、図１１に示すフロー図を参照して説明する。
【００３１】
ステップＳＴ１：電源スイッチをオンにするとカメラの監視制御システムがスタートする。
【００３２】
ステップＳＴ２：設定モードが記録モードであるか否か判定される。記録モードである場合はステップＳＴ３に進み、記録モードでない場合はステップＳＴ１６に進む。
【００３３】
ステップＳＴ３：ユーザーによりレリーズボタン５が押される。
【００３４】
ステップＳＴ４：シャッターが開放され露光が行なわれる。
【００３５】
ステップＳＴ５：撮影された画像のデータが画像処理装置１２４で圧縮処理されて記録媒体１５への記録が開始される。
【００３６】
ステップＳＴ６：第一のセンサ２１−２１′がオンとなっているか否か判定される。オンとなっていない場合はステップＳＴ７へ進み、オンとなっている場合はステップＳＴ８へ進む。
【００３７】
ステップＳＴ７：記録が終了したか否か判定される。記録が終了していない場合はステップＳＴ６へ戻る。記録が終了している場合はステップＳＴ１３へ進む。
【００３８】
ステップＳＴ８：ステップＳＴ６において第一のセンサ２１−２１′がオンとなっていると判定された場合、引き続き第二のセンサ２２−２２′がオンとなっているか否か判定される。オンとなっている場合は、ステップＳＴ９へ進み、オンとなっていない場合は、ステップＳＴ７へ戻る。
【００３９】
ステップＳＴ９：コネクタ１２に対する前記記録媒体１５の相対位置情報に基づいて記録媒体１５の取出し速度が検出される。
【００４０】
ステップＳＴ１０：記録媒体１５の取り出し速度情報から予測される当該記録媒体１５のアクセス動作限界時刻ｔｘが、記録媒体１５に対する処理動作の終了時刻ｔｙより遅いか否か判定される。遅いと判定された場合は、ステップＳＴ１１に進み、早いと判定された場合は、ステップＳＴ１２へ進む。
【００４１】
ステップＳＴ１１：画像記録が終了するまで記録動作が継続される。すなわち記録が終了したか否か判定され、記録が終了していない場合は記録が終了するまで待機する。記録が終了した場合はステップＳＴ１３へ進む。
【００４２】
ステップＳＴ１２：ステップＳＴ１０において記録媒体１５のアクセス動作限界時刻ｔｘが、記録媒体１５に対する処理動作の終了時刻ｔｙより早いと判定された場合、所謂インデックス記録が行なわれると共に画像記録は中断される。そしてステップＳＴ１３へ進む。
【００４３】
ここで、インデックス記録とは、記録媒体（メモリーカード）の管理情報エリアにある画像ファイル管理情報の内容を、画像記録中断前の状態に戻すように、その部分の情報を訂正記録すること、また記録が中止された画像の実データのブロックアドレスなども記録することを言う。
【００４４】
ステップＳＴ１３：再度第一のセンサ２１−２１′がオンとなっているか否か判定される。オンとなっている場合はステップＳＴ１４へ進み、オンとなっていない場合はステップＳＴ１５へ進む。
【００４５】
ステップＳＴ１４：記録媒体１５が取出されかけている旨の警告が画像表示器１２６に表示される。そしてステップＳＴ１５へ進む。
【００４６】
ステップＳＴ１５：記録モード時における監視制御システムの動作が終了する。
【００４７】
ステップＳＴ１６：ステップＳＴ２で記録モードでないと判定された場合において、再生モードが設定されると、記録媒体１５から画像データの読出しが開始される。
【００４８】
ステップＳＴ１７：第一のセンサ２１−２１′がオンとなっているか否か判定される。オンとなっていない場合はステップＳＴ１８へ進み、オンとなっている場合はステップＳＴ２０へ進む。
【００４９】
ステップＳＴ１８：画像データの読出しが終了したか否か判定される。終了していない場合はステップＳＴ１７へ戻る。終了している場合はステップＳＴ１９へ進む。
【００５０】
ステップＳＴ１９：読み出された画像データが画像処理装置１２４で拡張処理されたのち画像表示装置１２６で表示される。そしてステップＳＴ２１へ進む。
【００５１】
ステップＳＴ２０：ステップＳＴ１７において第一のセンサ２１−２１′がオンとなっていると判定された場合、その旨が警告として画像表示装置１２６にて表示される。そしてステップＳＴ２１へ進む。
【００５２】
ステップＳＴ２１：再生モード時における監視制御システムの動作が終了する。
【００５３】
（第二実施形態）
図５は本発明の第二実施形態に係る記録媒体収納装置ＭＳの主要部の構成及び動作を示す側面図である。本実施形態が第一実施形態と異なる点は、複数対の光センサ２１，２１′及び２２，２２′及び２３，２３′…の代わりに、複数の反射型光センサ４１，４２，４３…を用い、これら反射型光センサ４１，４２，４３…から発する放射光を媒体収納室１０の厚み方向に向けて発し、記録媒体１５の取出し状態Ａ、Ｂ、Ｃに応じたコネクタ１２の接点部１２ｘからの反射光を検知することで媒体通過情報Ｓ１，Ｓ２，Ｓ３を得るようにした点である。第二実施形態における装置の動作は、第一実施形態における装置の動作と略同様であるため、その説明は省く。
【００５４】
第二実施形態の記録媒体収納装置においては、使用する光センサーが反射型であるため、その必要個数が第一実施形態に比べて半分でよい。従って構成が簡略化する。上記の点以外は第一実施形態と同様であるので詳しい説明は省略する。
【００５５】
（第三実施形態）
図６は本発明の第三実施形態に係る記録媒体収納装置ＭＳの主要部の構成を示す斜視図、図７は同実施形態に係る媒体収納室５０内のコネクタ１２における複数の接点部１２ａ，１２ｂ…１２ｘの配設パターン例を示す図である。また図８は同実施形態に係る記録媒体収納装置ＭＳの動作説明用のタイミング図である。
【００５６】
本実施形態が第一実施形態と異なる点は、前記センサ２０の代わりに、前記コネクタ１２における長さの異なる複数の接点部１２ａ，１２ｂ…１２ｘを利用して、媒体通過情報Ｓ１，Ｓ２，Ｓ３を得るようにした点である。
【００５７】
図７に示すように、複数本の信号用接点部ＳＧは略均一で平均的な長さを有している。導通状態監視用のグランド接点部ＧＮＤ１は、信号用接点部ＳＧ及びグランド接点部ＧＮＤ３より短い長さを有している。カード検出用のグランド接点部ＧＮＤ２はグランド接点部ＧＮＤ１より長くかつ信号用接点部ＳＧ及びグランド接点部ＧＮＤ３より短い長さを有している。
【００５８】
そこでグランド接点部ＧＮＤ１と記録媒体（カード）１５の端子部との接離ポイントを第一実施形態の通過ポイントＰ１に対応させ、グランド接点部ＧＮＤ２と記録媒体（メモリーカード）１５の端子部との接離ポイントを第一実施形態の通過ポイントＰ２に対応させ、信号用接点部ＳＧ及びグランド接点部ＧＮＤ３と記録媒体１５の端子部との接離ポイントを第一実施形態の通過ポイントＰ３に対応させる。
【００５９】
こうすることにより、図８に示すように、各接点部に得られるオンオフ信号を記録媒体１５に対する処理動作のための媒体通過情報Ｓ１，Ｓ２，Ｓ３として利用することが可能となる。第三実施形態における装置の動作も、基本的に第一実施形態における装置の動作と略同様であるためその説明は省く。
【００６０】
第三実施形態の記録媒体収納装置においては、光センサー等のセンサーを格別に設けなくても良いので構成が簡略化する。上記の点以外は第一実施形態と同様であるので詳しい説明は省略する。
【００６１】
（第四実施形態）
図９の（ａ）は本発明の第四実施形態に係る記録媒体収納装置ＭＳの主要部の構成を示す斜視図である。図９の（ｂ）は図９の（ａ）の９ｂ−９ｂ線矢視断面図である。
【００６２】
本実施形態が第一実施形態と異なる点は、前記記録媒体１５が、前記コネクタ１２に対する正規の装着位置よりも取出し方向にｄだけずれた位置であって、前記コネクタ１２との導通が保証される特定の位置ＳＰに移動したことを検出する一対の光センサからなる媒体検出手段７０と、この媒体検出手段７０によって前記記録媒体１５が特定位置ＳＰに移動したことが検出されたとき、前記記録媒体１５に対する処理動作を一つ前の処理動作に戻すべく管理情報を書き直すと共に、当該記録媒体に対する処理動作を中断するように制御する制御手段１３２と、を備えた点である。なお前記媒体検出手段７０のセンサとして、前記コネクタ１２における接点部の一つ（例えば最長の接点部１２ｘ）を利用しても良い。
【００６３】
次に上記の如く構成された第四実施形態に係るデジタルカメラＤＣの監視制御システムの動作について、図１２に示すフロー図を参照して説明する。
【００６４】
ステップＳＴ３１：電源スイッチをオンにするとカメラの監視制御システムがスタートする。
【００６５】
ステップＳＴ３２：設定モードが記録モードであるか否か判定される。記録モードである場合はステップＳＴ３３に進み、記録モードでない場合はステップＳＴ４１に進む。
【００６６】
ステップＳＴ３３：ユーザーによりレリーズボタンが押される。
【００６７】
ステップＳＴ３４：シャッターが開放され露光が行なわれる。
【００６８】
ステップＳＴ３５：撮影された画像のデータが画像処理装置１２４で圧縮処理されて記録媒体１５への記録が開始される。
【００６９】
ステップＳＴ３６：センサ７０がオンとなっているか否か判定される。オンとなっていない場合はステップＳＴ３７へ進み、オンとなっている場合はステップＳＴ３８へ進む。
【００７０】
ステップＳＴ３７：記録が終了したか否か判定される。記録が終了していない場合はステップＳＴ３６へ戻る。記録が終了している場合はステップＳＴ４０へ進む。
【００７１】
ステップＳＴ３８：ステップＳＴ３６において媒体検出手段であるセンサ７０がオンとなっていると判定された場合、前述した所謂インデックス記録が行なわれると共に画像記録は中断される。そしてステップＳＴ３９へ進む。
【００７２】
ステップＳＴ３９：記録媒体１５が取り出されかけている旨の警告が画像表示装置１２６に表示される。そしてステップＳＴ４０へ進む。
【００７３】
ステップＳＴ４０：記録モード時における監視制御システムの動作が終了する。
【００７４】
ステップＳＴ４１：ステップＳＴ３２で記録モードでないと判定された場合において、再生モードが設定されると、記録媒体１５から画像データの読出しが開始される。
【００７５】
ステップＳＴ４２：センサ７０がオンとなっているか否か判定される。オンとなっていない場合はステップＳＴ４３へ進み、オンとなっている場合はステップＳＴ４５へ進む。
【００７６】
ステップＳＴ４３：画像データの読出しが終了したか否か判定される。終了していない場合はステップＳＴ４２へ戻る。終了している場合はステップＳＴ４４へ進む。
【００７７】
ステップＳＴ４４：読み出された画像データが拡張されたのち画像表示器１２６にて表示される。そしてステップＳＴ４６へ進む。
【００７８】
ステップＳＴ４５：ステップＳＴ４２において媒体検出手段であるセンサ７０がオンとなっていると判定された場合、その旨が警告として画像表示装置１２６にて表示される。そしてステップＳＴ４６へ進む。
【００７９】
ステップＳＴ４６：再生モード時における監視制御システムの動作が終了する。
【００８０】
上記第四実施形態の記録媒体収納装置においては、管理情報が正しく書き直されるため、アクセス中に誤って記録媒体が取りされても、その後、当該記録媒体が使用できなくなるおそれがない。上記の点以外は第一実施形態と同様であるので詳しい説明は省略する。
【００８１】
（第五実施形態）
図１０の（ａ）は本発明の第五実施形態に係る記録媒体収納装置の主要部の構成を示す斜視図である。図１０の（ｂ）は図１０の（ａ）の１０ｂ−１０ｂ線矢視断面図である。
【００８２】
本実施形態が第一実施形態と異なる点は、操作用物体（操作者の指，ピンセットなどを含む）Ｍが特定領域Ｆへ侵入したことを一対の光センサ８１，８２からなるセンサ８０で検出することにより、前記記録媒体１５が前記媒体収納室１０から取出し操作されることを予測する予測手段と、この予測手段により前記記録媒体１５の取出し操作が予測されたとき、前記記録媒体１５に対する処理動作を中断する制御手段１３２を備えた点である。第五実施形態における装置の動作は、基本的に第一実施形態における装置の動作と略同様であるため、その説明は省く。
【００８３】
第五実施形態の記録媒体収納装置においては、記録媒体１５の取出し操作が実際に行なわれる前に記録媒体１５に対する保護動作が行なわれる。このため記録媒体１５の画像データ破損等を未然に防止することができる。上記の点以外は第一実施形態と同様であるので詳しい説明は省略する。
【００８４】
（実施形態における特徴点）
［１］実施形態に示された記録媒体収納装置ＭＳは、
記録媒体（メモリーカード）１５を開口部１１から挿脱自在に収納可能な媒体収納室１０と、
この媒体収納室１０の内部に設けられ、前記開口部１１から挿入された前記記録媒体１５の挿入先端部位１５ｃと接続されるコネクタ１２と、
このコネクタ１２に対する前記記録媒体１５の相対位置情報から、前記記録媒体１５が前記媒体収納室１０から取出される速度を検出する取出し速度検出手段（センサ２０、ＣＰＵ１３０）と、
この取出し速度検出手段（センサ２０、ＣＰＵ１３０）にて検出された前記記録媒体１５の取り出し速度情報に基づいて、前記記録媒体１５に対する処理動作を制御する制御手段１３２と、
を備えたことを特徴とする。
【００８５】
上記記録媒体収納装置においては、記録媒体１５が誤ってアクセス中に取出されたとき、一律な処理ではなく、記録媒体１５の取出し速度と記録媒体１５に対する処理動作の進行状況との対応関係に基づいた適切な処理を行なえる。
【００８６】
［２］実施形態に示された記録媒体収納装置ＭＳは、前記［１］に記載の記録媒体収納装置であって、
前記取出し速度検出手段は、前記記録媒体１５が取出されるとき、前記媒体収納室１０内の複数の通過ポイントＰ１，Ｐ２，Ｐ３…において、前記記録媒体１５の通過をそれぞれ検出する複数のセンサ２１，２１′及び２２，２２′及び２３，２３′…と、
これら複数のセンサ２１，２１′及び２２，２２′及び２３，２３′…により検出された記録媒体１５の媒体通過情報Ｓ１，Ｓ２，Ｓ３…の検出時間差Ｔ１，Ｔ２…に基づいて、前記記録媒体１５が取出される速度を算出する速度算出手段１３１と、
を有することを特徴とする。
【００８７】
上記記録媒体収納装置ＭＳにおいては、記録媒体１５が媒体収納室１０から取出される速度を簡単に算出可能となる。
【００８８】
［３］実施形態に示された記録媒体収納装置ＭＳは、前記［２］に記載の記録媒体収納装置であって、
前記センサは、前記コネクタ１２における長さの異なる複数の接点部１２ａ，１２ｂ…１２ｘを利用したものであることを特徴とする。
【００８９】
上記記録媒体収納装置ＭＳにおいては、フォトセンサー等のセンサーを格別に設けなくても良い。したがって構成が簡略化する。
【００９０】
［４］実施形態に示された記録媒体収納装置ＭＳは、前記［１］または［２］または［３］に記載の記録媒体収納装置であって、
前記制御手段１３２は、前記記録媒体１５の取り出し速度情報から予測される当該記録媒体１５のアクセス動作限界時刻ｔｘが、前記記録媒体１５に対する処理動作の終了時刻ｔｙより遅いとき、当該記録媒体１５に対する処理動作を継続するように制御することを特徴とする。
【００９１】
上記記録媒体収納装置ＭＳにおいては、記録媒体１５に対する一つの処理動作が最後まで行なわれるのでデータが失われない。
【００９２】
［５］実施形態に示された記録媒体収納装置ＭＳは、前記［１］または［２］または［３］に記載の記録媒体収納装置であって、
前記制御手段１３２は、前記記録媒体１５の取り出し速度情報から予測される当該記録媒体１５のアクセス動作限界時刻ｔｘが、前記記録媒体１５に対する処理動作の終了時刻ｔｙより早いとき、前記記録媒体１５の内容を前記取出しがなされる以前の状態に戻した後に、当該記録媒体１５に対する処理動作を中断するように制御することを特徴とする。
【００９３】
上記記録媒体収納装置ＭＳにおいては、アクセス中に誤って記録媒体１５が取りされると、記録媒体１５に対する処理動作が中断される。したがって、その後、当該記録媒体１５が使用できなくなるおそれがない。
【００９４】
［６］実施形態に示された記録媒体収納装置ＭＳは、
前記制御手段は、前記記録媒体１５の管理情報を書き直して当該記録媒体１５の内容を前記取出しがなされる以前の状態に戻すことを特徴とする。
【００９５】
上記記録媒体収納装置ＭＳにおいては、管理情報が正しく書き直される。したがって、アクセス中に誤って記録媒体１５が取りされても、その後、当該記録媒体１５が使用できなくなるおそれがない。
【００９６】
［７］実施形態に示された記録媒体収納装置ＭＳは、
前記記録媒体１５を開口部１１から挿脱自在に収納可能な媒体収納室１０と、
この媒体収納室１０の内部に設けられ、前記開口部１１から挿入された記録媒体１５の挿入先端部位１５ｃと接続されるコネクタ１２と、
前記コネクタ１２に接続された前記記録媒体１５が、前記コネクタ１２に対する正規の装着位置よりも取出し方向にずれた位置であって、前記コネクタ１２との導通が保証される特定の位置ＳＰに移動したことを検出する検出手段７０と、
前記検出手段７０によって、前記記録媒体１５が特定位置ＳＰに移動したことが検出されたとき、前記記録媒体１５に対する処理動作を一つ前の処理動作に戻すべく管理情報を書き直すと共に、当該記録媒体に対する処理動作を中断するように制御する制御手段１３２と、を備えたことを特徴とする。
【００９７】
上記記録媒体収納装置においては、管理情報が正しく書き直される。したがって、アクセス中に誤って記録媒体が取りされても、その後、当該記録媒体が使用できなくなるおそれがない。
【００９８】
［８］実施形態に示された記録媒体収納装置ＭＳは、前記［７］に記載の記録媒体収納装置であって、
前記媒体検出手段は、前記コネクタ１２における接点部の一つ（例えば最長の接点部１２ｘ）を利用したものであることを特徴とする。
【００９９】
［９］実施形態に示された記録媒体収納装置ＭＳは、
記録媒体１５を開口部１１から挿脱自在に収納可能な媒体収納室１０と、
この媒体収納室１０の内部に設けられ、前記開口部１１から挿入された記録媒体１５の挿入先端部位１５ｃと接続されるコネクタ１２と、
操作用物体（操作者の指，ピンセットなどを含む）Ｍが特定領域Ｆへ侵入したことを検出することにより、前記記録媒体１５が前記媒体収納室１０から取出し操作されることを予測する予測手段（センサ８０、ＣＰＵ１３０）と、
前記予測手段（センサ８０、ＣＰＵ１３０）により前記記録媒体１５の取出し操作が予測されたとき、前記記録媒体１５に対する処理動作を中断する制御手段１３２を備えたことを特徴とする。
【０１００】
上記記録媒体収納装置においては、記録媒体１５の取出し操作が予測されると、記録媒体１５に対する処理動作が中断される。したがって従来例で示したように、保護蓋が開放されたとき記録媒体に対する処理動作を中断する制御手段１３２を備えた場合と同様に、記録媒体１５の取出し操作がなされる前に保護動作が行なわれる。このため記録媒体１５の画像データ破損等を未然に防止することができる。
【０１０１】
［１０］実施形態に示されたデジタルカメラＤＣは、前記［１］ないし［８］のいずれか一つに記載の記録媒体収納装置１０を備え、前記媒体収納室１０に収納された記録媒体１５に対し撮影画像データの記録・再生が可能で、かつ上記撮影画像データを入出力可能な如く設けられたことを特徴とする。
【０１０２】
（変形例）
実施形態に示された記録媒体収納装置及びカメラは、下記の変形例を含んでいる。
【０１０３】
・センサとして静電容量を利用した静電式センサを使用したもの。
【０１０４】
・センサとして超音波を利用した超音波式センサを使用したもの。
【０１０５】
【発明の効果】
本発明によれば、下記のような作用効果を奏する記録媒体収納装置及びカメラを提供できる。
【０１０６】
（ａ）  記録媒体が媒体収納室から取出されると、その取出し操作がセンサにより検出され、記録媒体に対し適切な処理動作が行なわれる。従って記録媒体が、たとえアクセス中に媒体収納室から誤って取出し操作されても、記録媒体の画像データが破損しない。
【０１０７】
（ｂ）構成は簡単で容易に製作可能である。
【図面の簡単な説明】
【図１】本発明の第一実施形態に係るデジタルカメラの外観を示す斜視図。
【図２】本発明の第一実施形態に係るデジタルカメラの内部構成を示すブロック図。
【図３】本発明の第一実施形態に係る記録媒体収納装置の構成を示す図で、（ａ）は記録媒体が媒体収納室から引き出された状態を表側から見た斜視図、（ｂ）は記録媒体が媒体収納室内に収納された状態を裏側から見た斜視図。
【図４】本発明の第一実施形態に係る記録媒体収納装置の動作説明用のタイミング図。
【図５】本発明の第二実施形態に係る記録媒体収納装置の主要部の構成及び動作を示す図で、記録媒体を側面から見た図。
【図６】本発明の第三実施形態に係る記録媒体収納装置の主要部の構成を示す斜視図。
【図７】本発明の第三実施形態に係る媒体収納室内のコネクタにおける複数の接点部配設パターン例を示す図。
【図８】本発明の第三実施形態に係る記録媒体収納装置の動作説明用のタイミング図。
【図９】本発明の第四実施形態に係る記録媒体収納装置の主要部の構成を示す図で、（ａ）は外観斜視図、（ｂ）は（ａ）の９ｂ−９ｂ線矢視断面図。
【図１０】本発明の第五実施形態に係る記録媒体収納装置の主要部の構成を示す図で、（ａ）は外観斜視図、（ｂ）は（ａ）の１０ｂ−１０ｂ線矢視断面図。
【図１１】本発明の第一実施形態に係る記録媒体収納装置の動作を示すフロー図である。
【図１２】本発明の第四実施形態に係る記録媒体収納装置の動作を示すフロー図。
【符号の説明】
ＤＣ  デジタルカメラ
ＭＳ  記録媒体収納装置
１０  媒体収納室
１２  コネクタ
１５  記録媒体
２０  センサ
１１０  撮影系
１２０  電子回路系
１３０  ＣＰＵ
【図１】
2005005784.tif 000003
【図２】
2005005784.tif 000004
【図３】
2005005784.tif 000005
【図４】
2005005784.tif 000006
【図５】
2005005784.tif 000007
【図６】
2005005784.tif 000008
【図７】
2005005784.tif 000009
【図８】
2005005784.tif 000010
【図９】
2005005784.tif 000011
【図１０】
2005005784.tif 000012
【図１１】
2005005784.tif 000013
【図１２】
2005005784.tif 000014